(57)【要約】    【構成】携帯端末１０は、静止画や動画を投影するプロジェクタ３２を有する。使用者が携帯端末１０をクレードル（Ｃｒ）に置き、投影画像に対する台形歪みや、輝度などの初期設定を行うと、その初期設定の結果はＲＡＭ３０に設定情報として記憶される。また、プロセッサ２０は、電源回路４４によってリチウムイオン電池４６の充電が検出されると、現在の位置情報を取得し、その位置情報と相関が有る位置情報を含む設定情報をＲＡＭ３０から読み出す。そして、プロセッサ２０は、読み出した設定情報に基づいて投影画像の補正を行い、プロジェクタ３２に画像を投影させる。    【効果】予め設定された補正値に基づいて画像が投影されるため、使用者は補正の手間を掛けずにプロジェクタ３２を用いたプロジェクタ機能を利用することができる。【選択図】図１
2011049865.tif 000002
【特許請求の範囲】
【請求項１】
クレードルに設置された状態で投影するプロジェクタを有する、携帯端末であって、
前記プロジェクタの設定情報を記憶する記憶手段、
前記携帯端末が前記クレードルに置かれたことを検出する検出手段、
前記検出手段によって前記携帯端末が前記クレードルに置かれたことが検出されたとき、前記設定情報を読み出す読出手段、および
前記読出手段によって読み出された前記設定情報に基づいて、前記プロジェクタに投影させることを可能にする制御手段を備える、携帯端末。
【請求項２】
前記記憶手段は、複数の設定情報を記憶し、
前記設定情報は、前記クレードルを識別する識別情報を含み、
前記検出手段によって前記携帯端末が前記クレードルに置かれたことが検出されたとき、識別情報を取得する識別情報取得手段をさらに備え、
前記読出手段は、前記複数の設定情報の中から、前記識別情報取得手段によって取得された識別情報と相関する識別情報を含む設定情報を読み出す第１読出手段を含む、請求項１記載の携帯端末。
【請求項３】
前記識別情報取得手段によって取得された識別情報と前記複数の設定情報に含まれる識別情報のそれぞれと相関がないとき、前記複数の設定情報を選択的に表示する表示手段をさらに備え、
前記読出手段は、選択された設定情報を読み出す第２読出手段をさらに含む、請求項２記載の携帯端末。
【請求項４】
前記識別情報取得手段は、位置情報を取得する位置情報取得手段を含み、
前記識別情報は、位置情報を含む、請求項２または３記載の携帯端末。
【請求項５】
前記プロジェクタの初期設定を行う初期設定手段、および
前記初期設定手段によって設定された初期設定の結果を、設定情報として前記記憶手段に記憶させる初期設定記憶手段をさらに備える、請求項１ないし４のいずれかに記載の携帯端末。
【請求項６】
前記記憶手段は、特定の機能を実行するための機能情報をさらに記憶し、
前記機能情報は、前記設定情報と共に読み出され、
読み出された機能情報に基づいて、特定の機能を実行する機能実行手段をさらに備え、
前記制御手段は、前記特定の機能が実行された状態で、前記読出手段によって読み出された前記設定情報に基づいて、前記プロジェクタに投影させることを可能にする、請求項１ないし５のいずれかに記載の携帯端末。
【請求項７】
充電可能な二次電池をさらに備え、
前記検出手段は、二次電池の充電を検出することで、前記携帯端末が前記クレードルに置かれたことを検出する、請求項１ないし６のいずれかに記載の携帯端末。
【請求項８】
クレードルに設置された状態で投影するプロジェクタ、前記プロジェクタの設定情報を記憶する記憶手段および前記携帯端末が前記クレードルに置かれたことを検出する検出手段を有する、携帯端末のプロセッサを、
前記検出手段によって前記携帯端末が前記クレードルに置かれたことが検出されたとき、前記設定情報を読み出す読出手段、および
前記読出手段によって読み出された前記設定情報に基づいて、前記プロジェクタに投影させることを可能にする制御手段として機能させる、投影プログラム。
【請求項９】
クレードルに設置された状態で投影するプロジェクタ、前記プロジェクタの設定情報を記憶する記憶手段および前記携帯端末が前記クレードルに置かれたことを検出する検出手段を有する、携帯端末の投影方法であって、
前記検出手段によって前記携帯端末が前記クレードルに置かれたことが検出されたとき、前記設定情報を読み出す、そして
読み出された前記設定情報に基づいて、前記プロジェクタに投影させることを可能にする、投影方法。
【発明の詳細な説明】
【技術分野】
【０００１】
この発明は、携帯端末に関し、特にたとえば静止画や動画を投影するプロジェクタを有する、携帯端末に関する。
【背景技術】
【０００２】
従来、特にたとえば画像を投影するプロジェクタを有する、携帯端末が知られており、この種の装置の一例が、特許文献１に開示されている。この先行技術の液晶プロジェクタは、２つの距離センサ、制御マイコン、映像処理回路および表示パネルを備える。また、投射画面に生じる台形歪みを補正するために、液晶プロジェクタの制御マイコンは２つの距離センサによってスクリーンまでの距離をそれぞれ検出し、スクリーンの傾斜角度を算出する。そして、映像処理回路は投射画面とは逆の台形歪みを発生させる処理を映像信号に施し、処理が施された映像信号を表示パネルに表示させる。これにより、液晶プロジェクタは、台形歪みを自動的に補正して、投射画面をスクリーンに表示させることが可能となる。
【先行技術文献】
【特許文献】
【０００３】
【特許文献１】特開２０００−１２２６１７号公報［G09G 3/36, G09G 3/20, H04N 5/74］
【発明の概要】
【発明が解決しようとする課題】
【０００４】
ところが、先行技術の液晶プロジェクタを携帯端末に組み込もうとすると、距離センサを搭載するためのスペースを確保しなければならず、小型化および低コスト化が進む携帯端末において、この液晶プロジェクタを組み込むことは、現実的ではなくなる。また、上記問題を解決するために、先行技術の液晶プロジェクタから距離センサを省いてしまうと、使用者は、画像を投射させる度に台形歪みの補正を手動で行わなければならず、使用者の利便性が損なわれてしまう。
【０００５】
それゆえに、この発明の主たる目的は、新規な、携帯端末、投影プログラムおよび投影方法を提供することである。
【０００６】
この発明の他の目的は、補正の手間を掛けずにプロジェクタを利用することができる、携帯端末、投影プログラムおよび投影方法を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、クレードルに設置された状態で投影するプロジェクタを有する、携帯端末であって、プロジェクタの設定情報を記憶する記憶手段、携帯端末がクレードルに置かれたことを検出する検出手段、検出手段によって携帯端末がクレードルに置かれたことが検出されたとき、設定情報を読み出す読出手段、および読出手段によって読み出された設定情報に基づいて、プロジェクタに投影させることを可能にする制御手段を備える、携帯端末である。
【０００９】
第１の発明では、携帯端末（１０）は、たとえばレーザ発振器（５４）やＭＥＭＳミラー（５８）などを含むプロジェクタ（３２）を有しており、クレードル（Ｃｒ）に置かれると静止画や動画などの画像を投影する。記憶手段（３０）は、台形歪み、輝度およびフォーカスなどの補正値から構成される設定情報を記憶する。検出手段（４４）は、電源回路などであり、携帯端末がクレードルに置かれたことを検出する。読出手段（２０，Ｓ５５，Ｓ７１）は、携帯端末がクレードルに置かれると、記憶手段から台形歪みの補正値などから構成される設定情報を読み出す。制御手段（２０，Ｓ３５，Ｓ６１）は、読み出した設定情報に基づいて補正を行い、プロジェクタに静止画や動画などの画像を投影させることを可能にする。
【００１０】
第１の発明によれば、プロジェクタは記憶された補正値に基づいて投影するため、使用者は補正の手間を掛けずにプロジェクタを利用することができる。
【００１１】
第２の発明は、第１の発明に従属し、記憶手段は、複数の設定情報を記憶し、設定情報は、クレードルを識別する識別情報を含み、検出手段によって携帯端末がクレードルに置かれたことが検出されたとき、識別情報を取得する識別情報取得手段をさらに備え、読出手段は、複数の設定情報の中から、識別情報取得手段によって取得された識別情報と相関する識別情報を含む設定情報を読み出す第１読出手段を含む。
【００１２】
第２の発明では、たとえば、記憶手段には、複数の設定情報から構成される設定テーブルが記憶される。また、設定情報の中には、複数のクレードルをそれぞれ識別するための識別情報が含まれる。識別情報取得手段（２０，３４ａ，３４ｂ，Ｓ５１）は、携帯端末がクレードルに置かれたときに、クレードルの識別情報を取得する。第１読出手段（２０，Ｓ５５）は、記憶手段から、取得された識別情報と相関が有る識別情報を含む設定情報を読み出す。
【００１３】
第２の発明によれば、使用者は、複数の場所にクレードルを設置し、それぞれの場所に適した設定でプロジェクタを使うことが可能になる。
【００１４】
第３の発明は、第２の発明に従属し、識別情報取得手段によって取得された識別情報と複数の設定情報に含まれる識別情報のそれぞれと相関が無いとき、複数の設定情報を選択的に表示する表示手段をさらに備え、読出手段は、選択された設定情報を読み出す第２読出手段をさらに含む。
【００１５】
第３の発明では、表示手段（２０，Ｓ６３）は、取得された識別情報と設定テーブルを構成する複数の識別情報のそれぞれとに相関が無いとき、複数の設定情報に対応するメニューを、選択的に表示する。第２読出手段（２０，Ｓ７１）は、選択されたメニューに対応する設定情報を、記憶手段から読み出す。
【００１６】
第３の発明によれば、クレードルが正しく識別できない状況であっても、使用者は、設定情報を容易に読み出すことができる。
【００１７】
第４の発明は、第２の発明または第３の発明に従属し、識別情報取得手段は、位置情報を取得する位置情報取得手段を含み、識別情報は、位置情報を含む。
【００１８】
第４の発明では、位置情報取得手段（３４ａ，３４ｂ）は、ＧＰＳ衛星からのＧＰＳ信号を受信することで、位置情報を取得する。そして、識別情報には、位置情報が含まれる。
【００１９】
第４の発明によれば、汎用性の高い位置情報を利用して、携帯端末に複数のクレードルを識別させることが可能になる。
【００２０】
第５の発明は、第１の発明ないし第４の発明のいずれかに従属し、プロジェクタの初期設定を行う初期設定手段、および初期設定手段によって設定された初期設定の結果を、設定情報として記憶手段に記憶させる初期設定記憶手段をさらに備える。
【００２１】
第５の発明では、初期設定手段（２０，Ｓ５，Ｓ１３，Ｓ２１，Ｓ２３，Ｓ６７）は、たとえば、プロジェクタが投影する投影画像の歪み補正や、輝度補正およびフォーカス補正を行い、併せて識別情報を取得することで初期設定を行う。初期設定記憶手段（２０，Ｓ２５）は、投影画像の歪み補正値や、輝度補正値、フォーカス補正値および識別情報などを設定情報として記憶手段に記憶させる。
【００２２】
第５の発明によれば、使用者は、プロジェクタを実行させる場所に応じた初期設定を行い、その初期設定の結果を設定情報として記憶させることができる。
【００２３】
第６の発明は、第１の発明ないし第５の発明のいずれかに従属し、記憶手段は、特定の機能を実行するための機能情報をさらに記憶し、機能情報は、設定情報と共に読み出され、読み出された機能情報に基づいて、特定の機能を実行する機能実行手段をさらに備え、制御手段は、特定の機能が実行された状態で、読出手段によって読み出された設定情報に基づいて、プロジェクタに投影させることを可能にする。
【００２４】
第６の発明では、記憶手段に記憶される機能情報は、初期設定によって予め設定された機能、または携帯端末がクレードルに置かれる直前まで実行されていた機能を表す。また、この機能情報は、設定情報と共に読み出されるため、機能実行手段（２０，Ｓ３３，Ｓ５９）は、読み出された機能情報に基づいて、特定の機能を実行する。そして、特定の機能に応じた静止画や動画が投影される。
【００２５】
第６の発明によれば、使用者は、携帯端末をクレードルに置くだけで、任意の機能による静止画や動画などの画像を投影させることができる。
【００２６】
第７の発明は、第１の発明ないし第６の発明のいずれかに従属し、充電可能な二次電池をさらに備え、検出手段は、二次電池の充電を検出することで、携帯端末がクレードルに置かれたことを検出する。
【００２７】
第７の発明では、二次電池（４６）は、充電可能なリチウムイオン電池などである。そして、検出手段は、二次電池の電流値を計測して充電を検出することで、携帯端末がクレードルに置かれたことを検出する。
【００２８】
第７の発明によれば、携帯端末がクレードルに置かれると充電状態となるため、クレードルに置かれたことが検出される。
【００２９】
第８の発明は、クレードル（Ｃｒ）に設置された状態で投影するプロジェクタ（３２）、プロジェクタの設定情報を記憶する記憶手段（３０）および携帯端末がクレードルに置かれたことを検出する検出手段（４４）を有する、携帯端末（１０）のプロセッサ（２０）を、検出手段によって携帯端末がクレードルに置かれたことが検出されたとき、設定情報を読み出す読出手段（Ｓ５５，Ｓ７１）、および読出手段によって読み出された設定情報に基づいて、プロジェクタに投影させることを可能にする制御手段（Ｓ３５，Ｓ６１）として機能させる、投影プログラムである。
【００３０】
第８の発明でも、第１の発明と同様に、プロジェクタは記憶された補正値に基づいて投影するため、使用者は補正の手間を掛けずにプロジェクタを利用することができる。
【００３１】
第９の発明は、クレードル（Ｃｒ）に設置された状態で投影するプロジェクタ（３２）、プロジェクタの設定情報を記憶する記憶手段（３０）および携帯端末がクレードルに置かれたことを検出する検出手段（４４）を有する、携帯端末（１０）の投影方法であって、検出手段によって携帯端末がクレードルに置かれたことが検出されたとき、設定情報を読み出す（Ｓ５５，Ｓ７１）、そして読み出された設定情報に基づいて、プロジェクタに投影させることを可能にする（Ｓ３５，Ｓ６１）、投影方法である。
【００３２】
第９の発明でも、第１の発明と同様に、プロジェクタは記憶された補正値に基づいて投影するため、使用者は補正の手間を掛けずにプロジェクタを利用することができる。
【発明の効果】
【００３３】
この発明によれば、予め設定された補正値に基づいて静止画や動画などの画像が投影されるため、使用者は補正の手間を掛けずにプロジェクタを利用することができる。
【００３４】
この発明の上述の目的、その他の目的、特徴および利点は、図面を参照して行う以下の実施例の詳細な説明から一層明らかとなろう。
【図面の簡単な説明】
【００３５】
【図１】図１は本発明の一実施例の携帯端末の電気的な構成を示すブロック図である。
【図２】図２は図１に示すプロジェクタの電気的な構成の一例を示すブロック図である。
【図３】図３は図１に示す携帯端末の閉状態の外観の一例を示す図解図である。
【図４】図４は図１に示す携帯端末の開状態の外観の一例を示す図解図である。
【図５】図５は図１に示す携帯端末が置かれるクレードルの外観の一例を示す図解図である。
【図６】図６は図１に示す携帯端末が置かれるクレードルの外観の他の一例を示す図解図である。
【図７】図７は図１に示すプロジェクタによって投影される投影画像の一例を示す図解図である。
【図８】図８は図１に示す携帯端末において利用されるＧＵＩの一例を示す図解図である。
【図９】図９は図１に示す携帯端末において利用されるＧＵＩの他の一例を示す図解図である。
【図１０】図１０は図１に示すプロジェクタによって投影される投影画像の他の一例を示す図解図である。
【図１１】図１１は図１に示すプロセッサによって読み出される設定テーブルの構成の一例を示す図解図である。
【図１２】図１２は図１に示す携帯端末において利用されるＧＵＩのその他の一例を示す図解図である。
【図１３】図１３は図１に示す携帯端末において利用されるＧＵＩの他の一例を示す図解図である。
【図１４】図１４は図１に示すＲＡＭのメモリマップの一例を示す図解図である。
【図１５】図１５は図１に示すプロセッサの初期設定処理を示すフロー図である。
【図１６】図１６は図１に示すプロセッサのプロジェクタ設定処理を示すフロー図である。
【発明を実施するための形態】
【００３６】
図１を参照して、携帯端末１０は、CPUまたはコンピュータと呼ばれることもあるプロセッサ２０およびキー入力装置２２などを含む。プロセッサ２０は、W-CDMA（3GSMと呼ばれることもある。）方式に対応する無線通信回路１４を制御して発呼信号を出力する。出力された発呼信号は、アンテナ１２から送出され、基地局を含む移動通信網に送信される。通話相手が応答操作を行うと、通話可能状態が確立される。
【００３７】
通話可能状態に移行した後にキー入力装置２２によって通話終了操作が行われると、プロセッサ２０は、無線通信回路１４を制御して、通話相手に通話終了信号を送信する。そして、通話終了信号の送信後、プロセッサ２０は、通話処理を終了する。また、先に通話相手から通話終了信号を受信した場合も、プロセッサ２０は、通話処理を終了する。さらに、通話相手によらず、移動通信網から通話終了信号を受信した場合も、プロセッサ２０は通話処理を終了する。
【００３８】
携帯端末１０が起動している状態で通話相手からの発呼信号がアンテナ１２によって捉えられると、無線通信回路１４は、着呼をプロセッサ２０に通知する。プロセッサ２０は、図示しない振動装置によって携帯端末１０を振動させ、図示しないスピーカから着呼音を出力させることで、発呼信号を受信している状態（着呼状態）であることを使用者に通知する。そして、プロセッサ２０は、表示ドライバ２４を制御することで、発呼信号と共に通話相手から送信される発呼元情報をディスプレイ２６に表示させる。
【００３９】
通話可能状態では、次のような処理が実行される。通話相手から送られてきた変調音声信号（高周波信号）は、アンテナ１２によって受信される。受信された変調音声信号は、無線通信回路１４によって復調処理および復号処理が施される。そして、得られた受話音声信号は、スピーカ１８から出力される。一方、マイク１６によって取り込まれた送話音声信号は、無線通信回路１４によって符号化処理および変調処理が施される。そして、生成された変調音声信号は、上述と同様、アンテナ１２を利用して通話相手に送信される。
【００４０】
また、携帯端末１０は、二次電池であるリチウムイオン電池４６の電圧に基づく電源をシステム全体に供給する電源回路４４を含む。また、電源回路４４がリチウムイオン電池４６の電圧に基づく電源をシステム全体に供給している場合には、電源オン状態と言うことにする。同様に、電源回路４４がリチウムイオン電池４６の電圧に基づく電源をシステム全体に供給していない場合には、電源オフ状態と言うことにする。電源回路４４は、電源オフ状態で、キー入力装置２２によって電源オン操作がされると起動され、電源オフ状態で、キー入力装置２２による電源オフ操作がされると停止される。さらに、電源オフ状態であっても、電源回路４４は、リチウムイオン電池４６の充電を検出すると起動し、リチウムイオン電池４６の充電が完了するのに応答して停止する。また、リチウムイオン電池４６が充電されている状態を充電状態と言う。さらに、充電とは端子Ｔａ，Ｔｂが外部電源と接続され外部電源から電力の供給を受けることで、リチウムイオン電池４６に電気エネルギーを蓄えることを言う。
【００４１】
なお、端子Ｔａは＋端子であり、端子Ｔｂは−端子である。また、充電回路４４は、リチウムイオン電池４６の電流値を測定することで、充電を検出する。また、プロセッサ２０は、充電回路４４によって充電が検出されると、図示しないLEDを発光させる。
【００４２】
プロセッサ２０には、プロジェクタ３２が接続されており、プロジェクタ３２によって、プロジェクタ機能を実行することができる。たとえば、使用者はプロジェクタ機能を実行することで、フラッシュメモリ２８またはＲＡＭ３０に記憶されている画像データを投影する。
【００４３】
ＧＰＳ制御回路３４ａおよびＧＰＳアンテナ３４ｂは位置情報取得手段として機能し、プロセッサ２０はＧＰＳ制御回路３４ａおよびＧＰＳアンテナ３４ｂによって現在の位置情報を取得する事ができる。たとえば、使用者によって位置情報を取得する操作がされると、プロセッサ２０は、ＧＰＳ制御回路３４ａを起動し、ＧＰＳアンテナ３４ｂによってＧＰＳ衛星から送信されるＧＰＳ信号を受信する。そして、プロセッサ２０は、受信したＧＰＳ信号から現在位置の緯度および経度を取得する。
【００４４】
また、携帯端末１０はカメラ機能を実行することができ、キー入力装置２２によってカメラ機能を実行する操作が行われると、カメラ制御回路３６ａおよびイメージセンサ３６ｂを撮影手段として機能させ、カメラ機能を実行する。
【００４５】
たとえば、被写界の光学像はイメージセンサ３６ｂに照射され、イメージセンサ３６ｂの撮像エリアには、たとえばUXGA(1600×1200画素)に対応する受光素子が配置されており、撮像エリアでは、光電変換によって、被写界の光学像に対応する電荷つまりUXGAの生画像信号が生成される。
【００４６】
そして、カメラ機能が実行されると、被写体のリアルタイム動画像つまりスルー画像をディスプレイ２６に表示するべく、プロセッサ２０は、カメラ制御回路３６ａに内蔵されるイメージセンサドライバを起動させ、露光動作および指定された読み出し領域に対応する電荷読み出し動作をイメージセンサドライバに命令する。
【００４７】
イメージセンサドライバは、イメージセンサ３６ｂの撮像面の露光と、当該露光によって生成された電荷の読み出しとを実行する。この結果、生画像信号が、イメージセンサ３６ｂから出力される。また、出力された生画像信号は、カメラ制御回路３６ａに入力され、カメラ制御回路３６ａは、入力された生画像信号に対して、色分離、白バランス調整、YUV変換などの処理を施し、YUV形式の画像データを生成する。そして、YUV形式の画像データはプロセッサ２０に入力される。このとき、カメラ制御回路３６ａは、フォーカスレンズ３６ｃを制御することで、被写界にピントを合わせる。
【００４８】
また、プロセッサ２０に入力されたYUV形式の画像データは、プロセッサ２０によってＲＡＭ３０に一旦格納される。さらに、格納されたYUV形式の画像データは、プロセッサ２０を介して、ＲＡＭ３０から表示ドライバ２４に与えられる。また同時に、プロセッサ２０は、間引き読み出し命令を表示ドライバ２４に発行する。そして、表示ドライバ２４は、プロセッサ２０から発行された間引き読み出し命令に従って、YUV形式の画像データを30fpsでディスプレイ２６に出力する。これによって、被写界を表す低解像度（たとえば、320×240画素）のスルー画像がディスプレイ２６に表示される。
【００４９】
なお、YUV形式の画像データにおいて、Yは輝度を意味し、Uは青色から輝度を引いた色差を意味し、Vは赤色から輝度を引いた色差を意味する。つまり、YUV形式の画像データは、輝度信号(Y)データと青色の色差信号(U)データと赤色の色差信号(V)データとから構成される。
【００５０】
さらに、キー入力装置２２によって撮影操作が行われると、プロセッサ２０は、本撮影処理を実行する。つまり、プロセッサ２０は、イメージセンサ３６ｂから出力されるUXGAの生画像信号に所定の信号処理を施して、ＲＡＭ３０に一旦格納し、メモリカード４２に対する記録処理をＩ／Ｆ４０に命令する。Ｉ／Ｆ４０は、プロセッサ２０を通してＲＡＭ３０から画像データを読み出し、読み出された画像データを含む画像ファイルとしてメモリカード４２に記録する。さらに、プロセッサ２０は、図示しないスピーカから、本撮影処理が実行されていること通知する音を出力させる。そして、メモリカード４２は着脱自在であり、図示しないスロットに装着されたときに、Ｉ／Ｆ４０によってアクセス可能となる。
【００５１】
なお、使用者は、撮影される画像データのサイズを、UXGAの他に、WQVGA(240×400画素)およびVGA(640×480画素)を選択することができる。また、選択された画像データのサイズがWQVGAの場合は、画像データはメモリカード４２に保存されず、フラッシュメモリ２８に記録される。さらに、カメラ機能は、動画像を撮影するための動画撮影モードで実行することもできる。
【００５２】
また、携帯端末１０は、ＴＶ視聴機能を備えており、キー入力装置２２によってＴＶ視聴機能を実行する操作が行われると、ディスプレイ２６には、ＴＶ放送による映像が表示される。具体的には、ＴＶチューナ３８ａは、ＴＶアンテナ３８ｂによって受信した放送信号から、選局されたチャンネルに対応する放送信号を抽出する。また、ＴＶチューナ３８ａは、その抽出した放送信号に対して復調等の処理を行い、復調信号を生成する。さらに、ＴＶチューナ３８ａは復調信号を携帯端末１０に出力し、携帯端末１０は復調信号に対してMPEG方式に基づいた復号処理を行い、映像信号を形成する。そして、その形成された映像信号は、ディスプレイ２６に出力され、ディスプレイ２６には、選局されたチャンネルのＴＶ放送による映像が表示される。
【００５３】
なお、発呼信号および発呼元情報を受信するアンテナ１２は受信手段として機能し、ＲＡＭ３０は記憶手段として機能する。また、スピーカ１８は音声出力装置と呼ばれることもあり、ディスプレイ２６は表示装置と呼ばれることもある。さらに、携帯端末１０は、動画像を再生するための動画再生機能や、複数の画像データを連続して再生するスライドショー機能も実行できる。そして、携帯端末１０は、メール機能によって、図示しないメールサーバとのデータ通信を行い、メールの送受信を行うことができる。
【００５４】
図２は、プロジェクタ３２の電気的な構成を示すブロック図を示す図解図である。図２を参照して、プロジェクタ３２は、プロセッサ２０から制御信号が入力されるミラー制御回路５０と、映像信号が入力されるレーザ制御回路５２と、赤(R)色、緑(G)色、青(B)色のレーザ光を出力可能なレーザ発振器５４と、集光レンズ５６と、ミラーおよびミラーを駆動させるアクチュエータから構成されるＭＥＭＳ(Micro Electro Mechanical Systems)ミラー５８とを含む。たとえば、レーザ発振器５４は、レーザ制御回路５２の制御に基づいて各色の強さを調節し、各色のレーザ光を集光レンズ５６に出力する。出力された赤色、緑色、青色のレーザ光は、集光レンズ５６によって１本のレーザ光に集光され、ＭＥＭＳミラー５８のミラーに出力される。そして、集光されたレーザ光は、ＭＥＭＳミラー５８のミラーに反射し、外部のスクリーンに出力される。このとき、ミラー制御回路５０は、プロセッサ２０からの制御信号に基づいて、集光されたレーザ光が映像信号に対応する画像となるように、ＭＥＭＳミラー５８を駆動させる。
【００５５】
図３（Ａ）,（Ｂ）は、携帯端末１０の閉状態の外観を示す図解図であり、図４は、携帯端末１０の開状態の外観を示す図解図である。図３（Ａ），（Ｂ）を参照して、携帯端末１０は、各々が平面矩形の第１筐体Ｃ１および第２筐体Ｃ２を有する。なお、第１筐体Ｃ１および第２筐体Ｃ２の厚みは略同じである。
【００５６】
キー入力装置２２は、複数のキーを含んでおり、キー入力装置２２に含まれる第１サイドキー２２ａ、第２サイドキー２２ｂおよび第３サイドキー２２ｃは、第２筐体Ｃ２の側面に設けられる。また、第１筐体Ｃ１の長さ方向一方の外側面には、フォーカスレンズ３６ｃに通じる開口ＯＰ１が設けられる。たとえば、使用者は、第１筐体Ｃ１の外側面を被写体に向けることで、その被写体を撮影することができる。また、第２筐体Ｃ２の長さ方向一方の側面には、プロジェクタ３２に通じる開口ＯＰ２が設けられる。たとえば、使用者は、開口ＯＰ２をスクリーンに向けることで、投影画像をスクリーンに投影することができる。なお、開口ＯＰ１および開口ＯＰ２には、可視光を透過するプラスチックがはめ込まれている。
【００５７】
また、第１筐体Ｃ１と第２筐体Ｃ２とは、ヒンジ機構Ｈによって結合されている。このヒンジ機構Ｈは、第１筐体Ｃ１の長さ方向他方の側面に形成される。また、第２筐体Ｃ２は、長さ方向一方の内側面の露出する位置においてヒンジ機構Ｈと結合される。そして、ヒンジ機構Ｈは、第１筐体Ｃ１を第２筐体Ｃ２の上に積層した状態で、第１筐体Ｃ１の短辺と平行な軸ＡＸを基準として可動させる。つまり、軸ＡＸを基準とした回転により、第１筐体Ｃ１と第２筐体Ｃ２とを開閉させる。また、ヒンジ機構Ｈは、開状態で第１筐体Ｃ１を任意の角度で保持することが可能であり、ヒンジ機構Ｈは任意の角度で開かれた第１筐体Ｃ１の保持をアシストするアシスト機構を含む。そして、端子Ｔａおよび端子Ｔｂのそれぞれは、第２筐体Ｃ２の長さ方向他方の側面に設けられる。
【００５８】
図４を参照して、携帯端末１０の開状態では、図示しないマイク１６は、第２筐体Ｃ２に内蔵され、内蔵されたマイク１６に通じる開口ＯＰ３は第２筐体Ｃ２の長さ方向他方の内側面に設けられる。同じく、図示しないスピーカ１８は、第１筐体Ｃ１に内蔵され、内蔵されたスピーカ１８に通じる開口ＯＰ４は、第１筐体Ｃ１の長さ方向一方の内側面に設けられる。
【００５９】
キー入力装置２２は、複数のキーをさらに含んでおり、それぞれのキーは第２筐体Ｃ２の主面に設けられる。たとえば、キー入力装置２２は、十字キー２２ｄや、通話キー、終話キー、メニューキーおよびテンキーなども含む。また、ディスプレイ２６は、モニタ画面が第１筐体Ｃ１の内側面に露出するように取り付けられる。
【００６０】
たとえば、使用者は、ディスプレイ２６を確認しながら、テンキーを操作して電話番号を入力し、通話キーによって発呼操作を行うことができる。そして、使用者は、終話キーによって通話終了操作を行う。
【００６１】
また、使用者は、メニューキーを操作することでメニュー画面を表示し、十字キー２２ｄによって任意のメニューを選択することができる。さらに、メニューキーは、カメラ機能が実行されていれば、撮影キーとしても機能する。
【００６２】
なお、使用者は、終話キーを長押しすることで携帯端末１０の電源をオン／オフする。さらに、終話キーが短押しされると、待機状態を示す画像がディスプレイ２６に表示され、携帯端末１０は待機状態となる。
【００６３】
なお、携帯通信端末１０の開状態および閉状態は、磁気センサおよび磁石などを利用して検出される。また、アンテナ１２、無線通信回路１４、プロセッサ２０、表示ドライバ２４、フラッシュメモリ２８、ＲＡＭ３０、プロジェクタ３２、ＧＰＳ制御回路３４ａ、ＧＰＳアンテナ３４ｂ、カメラ制御回路３６ａ、イメージセンサ３６ｂ、フォーカスレンズ３６ｃ、ＴＶチューナ３８ａ、ＴＶアンテナ３８ｂ、Ｉ／Ｆ４０、メモリカード４２、電源回路４４およびリチウムイオン電池４６は、第１筐体Ｃ１または第２筐体Ｃ２に内蔵されており、図３（Ａ），（Ｂ）および図４では、図示されない。
【００６４】
図５（Ａ）−（Ｃ）は、携帯端末１０が置かれるクレードルＣｒの外観の一例を示す図解図である。図５（Ａ），（Ｂ）はクレードルＣｒの正面を表す図解図であり、クレードルＣｒは、ベース部と携帯端末１０を保持する保持部とから構成され、保持部には外部電源と繋がる端子Ｔｃおよび端子Ｔｄが設けられている。そして、図５（Ｂ）のように、携帯端末１０が置かれると、端子Ｔｃは端子Ｔａと接触し、端子Ｔｄは端子Ｔｂと接触する。つまり、端子Ｔａ、端子Ｔｂが外部電源から電力の供給を受け、携帯端末１０は充電状態となる。なお、携帯端末１０はクレードルＣｒに置かれると充電状態となるため、電源回路４４は、携帯端末１０がクレードルＣｒに置かれたことを検出する検出手段としても機能する。
【００６５】
図５（Ｃ）はクレードルＣｒの側面を表す図解図であり、保持部は、携帯端末１０が置かれた状態で所定の角度を保っている。また、外部電源はベース部に接続される。また、クレードルＣｒにスクリーンが装着されてもよい。たとえば、図６を参照して、クレードルＣｒのベース部にはスクリーンＳｃが装着される。
【００６６】
なお、第１サイドキー２２ａ、第２サイドキー２２ｂおよび第３サイドキー２２ｃは、クレードルＣｒに置かれた状態でも、操作可能である。また、保持部はベース部に対して稼働可能であり、使用者は保持部の角度を任意に決めることができる。さらに、スクリーンＳｃは、使用者によって任意に取り外しが可能である。そして、スクリーンＳｃは、クレードルＣｒに装着可能な任意のスクリーンと取り換えられてもよい。
【００６７】
図７は、プロジェクタ３２によって画像が投影される状態を示す図解図である。図７を参照して、携帯端末１０は、クレードルＣｒに置かれて充電が検出されると、プロジェクタ機能を実行し、スクリーンに画像を投影する。たとえば、クレードルＣｒは、携帯端末１０が置かれた状態で、開口ＯＰ２がスクリーンの方に向くように、任意の高さの机Ｄの上に設置される。これにより、携帯端末１０から約3m離れたスクリーンには、約55インチの投影画像が投影される。また、プロジェクタ機能が初めて実行された場合には、図７に示すように、投影画像に台形歪みが生じる場合がある。
【００６８】
そのため、プロジェクタ機能が初めて実行された場合には、携帯端末１０ではプロジェクタ機能の初期設定が行われる。具体的には、プロジェクタ機能が初めて実行されると、携帯端末１０を開状態にして初期設定を促す画像または文字列がスクリーンに投影される。そして、携帯端末１０が開状態にされると、ディスプレイ２６には、台形歪みを補正するための歪み補正画面が表示される。
【００６９】
なお、音声や光などによって初期設定が促されてもよい。また、初期設定を促す画像は、スクリーンにも投影されてもよいし、ディスプレイ２６には表示せず、スクリーンだけに投影されてもよい。
【００７０】
図８（Ａ）はディスプレイ２６の表示例であり、ディスプレイ２６の表示領域は状態表示領域６０および機能表示領域６２から構成される。状態表示領域６０には、携帯端末１０の状態を示す表示などがされ、たとえばアンテナ１２の電波強度を表すアイコン（ピクト、ピクトグラフとも言われる）、リチウムイオン電池４６の残電池容量を表すアイコンおよび現在時刻が表示される。また、機能表示領域６２は、携帯電話機１０で実行される機能に応じた表示がされ、ここでは歪み補正画面が表示される。なお、アンテナ１２の電波強度を表すアイコンおよび充電池の残電池容量を表すアイコンなど、状態表示領域に表示されるアイコンをまとめて、状態アイコンと呼ぶこともある。
【００７１】
図８（Ａ）を参照して、歪み補正画面には、十字キー２２ｄを操作して、上辺、下辺、左辺および右辺の歪みを補正することを促す、画像および文字列が表示される。たとえば、使用者は、図７に示すような投影画像の補正を行う場合に、十字キー２２ｄの上方向を操作することで、投影画像の上辺を補正、つまり短くすることができる。また、使用者は、十字キー２２ｄの下方向を操作することで投影画像の下辺を補正し、十字キー２２ｄの左方向を操作することで投影画像の左辺を補正し、十字キー２２ｄの右方向を操作することで投影画像の右辺を補正することができる。そして、使用者は、「中止」のソフトキー６４を操作することで、初期設定を中止することができる。また、使用者は、「次へ」のソフトキー６４を操作することで、台形歪みに対する補正を終了することができる。
【００７２】
なお、ソフトキー６４および６６は、キー入力装置２２においてソフトキー６４および６６と対応するキーが押下されると、使用者によって操作される。
【００７３】
図８（Ｂ）を参照して、歪み補正画面でソフトキー６６が操作されると、機能表示領域６２には輝度補正画面が表示される。輝度補正が表示された状態では、投影画像における輝度を補正することが可能である。たとえば、使用者は、十字キー２２ｄの上方向を操作することで投影画像の輝度を上げ、下方向を操作することで輝度を下げる。そして、使用者は、「戻る」のソフトキー６８を操作することで、歪み補正画面に戻ることができる。また、使用者は、「次へ」のソフトキー７０を操作することで、輝度の補正を終了することができる。
【００７４】
図８（Ｃ）を参照して、輝度補正画面でソフトキー７０が操作されると、機能表示領域６２には機能設定画面が表示される。機能設定画面では、プロジェクタ機能と同時に実行される特定の機能を設定することが可能である。たとえば、機能設定画面には、スライドショー機能を設定するための第１機能キー７２、ＴＶ視聴機能を設定するための第２機能キー７４、動画再生機能を実行するための第３機能キー７６および実行する機能を設定しない第４機能キー７８が表示される。そして、使用者は、「戻る」のソフトキー８０を操作することで、輝度補正画面に戻ることができる。また、使用者は、第１機能キー７２、第２機能キー７４、第３機能キー７６および第４機能キー７８のいずれか１つを選択することで、初期設定を終了することができる。
【００７５】
また、第１機能キー７２から第４機能キー７８は、十字キー２２ｄが操作されると、いずれか１つの機能キーが仮選択される。そして、いずれか１つの機能キーが仮選択された状態で、仮選択を確定するメニューキーなどが操作されると、その機能キーの選択が確定する。
【００７６】
たとえば、使用者は、十字キー２２ｄによって第１機能キー７２を仮選択し、メニューキーを操作することで、第１機能キー７２を選択することができる。そして、第１機能キー７２が選択された状態では、プロジェクタ機能とスライドショー機能とが同時に実行されるため、スクリーンにはフラッシュメモリ２８またはメモリカード４２に保存された写真画像が投影される。
【００７７】
図８（Ｄ）を参照して、プロジェクタ機能の初期設定が終了すると、ディスプレイ２６には初期設定の結果が表示される。つまり、台形歪みの補正値として、上辺が「Ｕ：５０」、下辺が「Ｄ：０」、左辺が「Ｌ：０」および右辺が「Ｒ：０」として表示される。また、輝度の補正値として「＋１０」が表示される。さらに、実行機能の設定として、第４機能キー７８が選択されたことを示す「設定しない」が表示される。そして、これらの初期設定の結果は、設定情報としてＲＡＭ３０に記憶される。
【００７８】
なお、使用者は、「戻る」のソフトキー８２を操作することで、機能設定画面に戻ることができる。また、使用者は、「確認」のソフトキー８４を操作することで、初期設定の結果が表示される画面を消去することができる。そして、初期設定の結果は、一定の時間（たとえば、５秒）が経過しても、自動的に消去される。
【００７９】
なお、本実施例では、初期設定の結果として位置情報（３０°００’３７．ＸＸ”Ｎ、１３５°４５’０５．ＹＹ”Ｅ）が表示され、その位置情報も設定情報としてＲＡＭ３０に記憶される。また、初期設定は、十字キー２２ｄによって行われたが、第１サイドキー２２ａ、第２サイドキー２２ｂおよび第３サイドキー２２ｃによって行われてもよい。たとえば、歪み表示画面では、使用者は、第１サイドキー２２ａを単押しすることで投影画像の上辺を補正し、第２サイドキー２２ｂを単押しすることで下辺を補正する。また、第１サイドキー２２ａを連続押しすることで右辺を補正し、第２サイドキー２２ｂを連続押しすることで下辺を補正する。そして、使用者は、第３サイドキー２２ｃを単押しすることで、「次へ」のソフトキー６６を操作し、第３サイドキー２２ｃを連続押しすることで「中止」のソフトキー６４を操作する。なお、操作性向上のため、さらに複数のサイドキーを設けるようにしてもよい。
【００８０】
ここで、初期設定処理が中断される場合について詳細に説明する。まず、初期設定中に携帯端末１０がクレードルＣｒから外されると、初期設定処理は一時中断される。そして、携帯端末１０がクレードルＣｒに再び置かれると、初期設定処理が再開される。このとき、ディスプレイ２６には、一時中断前の状態を保持した状態で初期設定を再開するか、一時中断前の状態をリセットして初期設定を再開するかを確認する確認ポップアップが表示される。
【００８１】
次に、初期設定中に発呼信号を受信した場合にも、初期設定処理が一時中断される。たとえば、使用者が着呼に対して応答し、通話が終了すると、ディスプレイ２６には待機状態を表す待機画像が表示される。そして、携帯端末１０が再びクレードルＣｒに置かれると、初期設定処理が再開される。なお、初期設定処理が再開されると、上記と同様に確認ポップアップが表示される。
【００８２】
一方、使用者が着呼に対して応答しなければ、発呼信号の途絶が検出されると、確認ポップアップがディスプレイ２６に表示されずに、一時中断前の状態を保持した状態で初期設定処理が再開される。そして、ディスプレイ２６には着呼に応答しなかったことを示す情報が表示される。たとえば、図９（Ａ）を参照して、使用者が発呼に対して応答しなければ、発呼に応答しなかったことを示す情報として、発信元情報を示すポップアップＰが表示される。
【００８３】
なお、図９（Ｂ）を参照して、発呼に応答しなかったことを示す情報として、不在着呼アイコン８６ａが状態表示領域６０に表示されてもよい。また、ポップアップＰが表示された後に、数秒経過するとポップアップＰの表示が消え、代わりに不在着呼アイコン８６ａが表示される。
【００８４】
また、他の実施例では、初期設定中に発呼信号を受信した場合には、発呼者に対して、留守番応答機能によって使用者が対応できないことを通知し、通話終了信号を送信してもよい。つまり、着呼よりも初期設定が優先され、使用者には、発呼信号を受信したことだけが通知される。たとえば、初期設定中に発呼信号を受信した場合には、ポップアップＰ（図９（Ａ）参照）によって発信元情報が使用者に通知される。このとき、ポップアップＰは、任意のキーが操作されると消去され、表示が消去されると、図９（Ｂ）に示すように、状態表示領域６０に不在着呼アイコン８６ａが表示される。
【００８５】
さらに、その他の実施例では、ポップアップＰを表示させずに、不在着呼アイコン８６ａがいきなり表示されてもよい。また、メールの着信があった場合には、メール着信アイコン８６ｂが状態表示領域６０に表示される。そして、不在着呼アイコン８６ａおよびメール着信アイコン８６ｂは、使用者によって不在着呼またはメールが確認されるまで表示され続ける。
【００８６】
このように、使用者によって初期設定が行われると、図７に示した投影画像は台形歪みなどが補正され、図１０に示すような投影画像がスクリーンに投影される。つまり、下辺の歪みが補正され、上辺と下辺との長さが略同じ長さになる。
【００８７】
また、図１１を参照して、設定情報は、設定テーブルを構成するデータとしてＲＡＭ３０に記録される。設定テーブルは、名称、歪み補正、輝度、実行機能および位置情報の列が設定され、１行毎に１つの設定情報が記録される。たとえば、名称の列には、設定の名称として「設定１」が記録される行において、歪み補正の列には「Ｕ：５０，Ｄ：０，Ｌ：０，Ｒ：０」が記憶され、輝度の列には「＋１０」が記憶される。さらに、実行機能の列には何も設定されていないことを示す「−」が記憶され、位置情報の列には「３０°００’３７．ＸＸ”Ｎ、１３５°４５’０５．ＹＹ”Ｅ」が記憶される。
【００８８】
なお、名称の列に記憶される「設定１」は、使用者によって任意に変更可能であり、たとえば「自宅」と変更されてもよい。また、名称の列に置いて、「デフォルト」が記録される行は、クレードルＣｒに装着可能なスクリーンＳｃ（図６参照）が使用された場合に使用される設定情報を示す。
【００８９】
ここで、携帯端末１０がクレードルＣｒに置かれると、ＲＡＭ３０から設定情報を読出し、読み出された設定情報に基づいて画像を投影する。具体的には、携帯端末１０がクレードルＣｒに置かれると、プロセッサ２０は、現在の位置情報を取得し、ＲＡＭ３０に記憶される設定情報に含まれる位置情報と現在の位置情報とに相関が有れば、その設定情報を読み出す。
【００９０】
そして、プロセッサ２０は、プロジェクタ機能を実行するか否かを確認する確認画面をディスプレイ２６に表示させる。たとえば、図１２を参照して、ディスプレイ２６には、「プロジェクタ機能を実行しますか？」の文字列と、プロジェクタ機能を実行させるための承諾キー８８と、プロジェクタ機能の実行をキャンセルする拒絶キー９０とが表示される。
【００９１】
ここで、使用者が承諾キー８８を選択するとプロジェクタ機能が実行され、読み出した設定情報に基づいて、投影画像が補正される。また、特定の機能を実行するように初期設定されていれば、プロセッサ２０はプロジェクタ機能と同時に特定の機能も実行する。たとえば、特定の機能として、スライドショー機能が設定されていれば、プロセッサ２０は、プロジェクタ機能とスライドショー機能とを同時に実行する。つまり、使用者は、携帯端末１０をクレードルＣｒに置くだけで、任意の機能による画像をスクリーンに投影することができるようになる。
【００９２】
また、特定の機能を実行するように初期設定されていなければ、つまり実行機能設定画面で第４機能キー７８が選択された場合には、携帯端末１０がクレードルＣｒに置かれる直前まで実行されていた機能が、プロジェクタ機能と同時に実行される。たとえば、ＴＶ視聴機能を実行する携帯端末１０がクレードルＣｒに置かれると、携帯端末１０は、ＴＶ番組の映像をスクリーンに投影する。
【００９３】
なお、使用者が確認画面で拒絶キー９０を選択すると、プロジェクタ機能の実行がキャンセルされ、スクリーンには何も投影されない。また、承諾キー８８および拒絶キー９０が操作されずに第１所定時間（たとえば、１０秒）経過しても、プロジェクタ機能の実行がキャンセルされる。さらに、確認画面の表示が省略されるように、常に承諾キー８８が選択されるようにされていてもよい。
【００９４】
また、ＲＡＭ３０に記憶される設定情報に含まれる位置情報と、現在の位置情報とに相関が無ければ、プロセッサ２０は、選択画面をディスプレイ２６に表示させる。たとえば、図１３を参照して、選択画面には、初期設定キー９２、設定情報キー９４およびデフォルトキー９６が表示される。
【００９５】
使用者によって初期設定キー９２が選択されると、図８（Ａ）に示す歪み補正画面が表示され、投影画像に対する初期設定を開始する。つまり、使用者は、初期設定キー９２を選択することで、プロジェクタ機能を実行させる場所に応じた初期設定を行い、その初期設定の結果を設定情報として携帯端末１０に記憶させることができる。たとえば、使用者は、自宅で初期設定を行った後、携帯端末１０のプロジェクタ機能を会社で実行させると、会社用の設定情報を新たに作成することが可能になる。なお、図１１を参照して、使用者によって新たに初期設定が行われると、「設定１」の次の行に記録される。
【００９６】
また、使用者によって「設定１」と書かれた設定情報キー９４が選択されると、設定テーブルから「設定１」に対応する設定情報が読み出される。つまり、設定１に対応する設定情報に基づいて、投影画像が補正される。これは、ＧＰＳ信号に基づく位置情報には誤差が生じるため、同じ場所であってもその誤差によって、ＲＡＭ３０に記憶される設定情報に含まれる位置情報と現在の位置情報とに相関が無くなくなる場合がある。そのため、本実施例では、位置情報に相関が無い場合には、位置情報が選択可能に表示される。これにより、使用者は、クレードルＣｒが正しく識別できない状況であっても、設定情報を容易に読み出すことができる。
【００９７】
なお、本実施例において、位置情報の誤差が所定距離（たとえば、50m）以内であれば、プロセッサ２０は位置情報に相関が有ると判断する。すなわち、位置情報がおよそ一致（略一致）していれば、相関が有ると判断される。また、選択画面が表示されてから第２所定時間（たとえば、１５秒）が経過すれば、選択画面が消去される。
【００９８】
さらに、使用者によってデフォルトキー９６が選択されると、設定テーブルから「デフォルト」に対応する設定情報が読み出される。つまり、スクリーンＳｃに適した設定情報が読み出される。
【００９９】
このように、位置情報は、複数のクレードルＣｒを識別するための識別情報として利用され、使用者が複数の場所にクレードルＣｒを設置する場合に、携帯端末１０は各クレードルＣｒを位置情報によって識別することが可能になる。つまり、使用者は、複数の場所にクレードルＣｒを設置し、それぞれの場所に適した設定でプロジェクタ機能を実行させることが可能になる。また、携帯端末１０の開発メーカは、汎用性の高い位置情報を利用して、複数のクレードルＣｒを識別させることが可能になる。
【０１００】
なお、クレードルＣｒは、自身を識別可能な識別信号を出力する電気回路を備えてもよい。つまり、携帯端末１０は、クレードルＣｒからの識別信号によって複数のクレードルＣｒをそれぞれ識別してもよい。
【０１０１】
図１４は、ＲＡＭ３０のメモリマップ３００を示す図解図である。図１４を参照して、ＲＡＭ３０のメモリマップ３００には、プログラム記憶領域３０２およびデータ記憶領域３０４が含まれる。プログラムおよびデータの一部は、フラッシュメモリ２８から一度に全部または必要に応じて部分的にかつ順次的に読み出され、ＲＡＭ３０に記憶されてからプロセッサ２０によって実行される。
【０１０２】
プログラム記憶領域３０２には、携帯端末１０を動作させるためのプログラムが記憶される。携帯端末１０を動作させるためのプログラムは、スライドショープログラム３１０、ＴＶ視聴プログラム３１２、動画再生プログラム３１４、初期設定プログラム３１６、プロジェクタ設定プログラム３１８およびプロジェクタプログラム３２０などから構成される。スライドショープログラム３１０は、フラッシュメモリ２８またはメモリカード４２に記憶される写真画像データを一定時間毎に表示するためのプログラムである。ＴＶ視聴プログラム３１２は、ＴＶチューナ３８ａおよびＴＶアンテナ３８ｂによって受信された放送信号に基づくＴＶ番組を視聴するためのプログラムである。動画再生プログラム３１４は、フラッシュメモリ２８またはメモリカード４２に記憶される動画像を再生するためのプログラムである。なお、動画像のデータは、ネットワークからダウンロードされてもよいし、カメラ機能による動画撮影モードで撮影されてもよい。
【０１０３】
初期設定プログラム３１６は、プロジェクタ３２によって投影された画像に対して、補正を行うためのプログラムである。プロジェクタ設定プログラム３１８は、設定情報を読み出すためのプログラムであり、クレードルＣｒに携帯端末１０が置かれると実行される。プロジェクタプログラム３２０は、プロジェクタ３２を制御するためのプログラムである。
【０１０４】
なお、図示は省略するが、携帯端末１０動作させるためのプログラムは、通話を行うためのプログラムや、位置情報を取得するためのプログラムなども含まれる。
【０１０５】
データ記憶領域３０４には、機能情報バッファ３３０、補正値バッファ３３２および位置情報バッファ３３４が設けられる。また、データ記憶領域３０４には、設定テーブルデータ３３６、画像データ３３８および動画データ３４０が記憶されると共に、初期設定フラグ３４２、充電フラグ３４４およびＧＵＩ表示カウンタ３４６なども設けられる。
【０１０６】
機能情報バッファ３３０は、携帯端末１０がクレードルＣｒに置かれる直前まで実行されていた機能の機能情報が一時的に記憶されるバッファである。たとえば、携帯端末１０がＴＶ視聴機能の実行中にクレードルＣｒに置かれると、ＴＶ視聴機能を示す情報が機能情報バッファ３３０に一時的に記憶される。補正値バッファ３３２は、初期設定プログラム３１６が実行されることで得られる補正値が一時的に記憶されるバッファである。位置情報バッファ３３４は、ＧＰＳ信号から得られた位置情報を一時的に記憶するためのバッファである。設定テーブルデータ３３６は、図１１に示す設定テーブルのデータであり、設定情報が含まれる。
【０１０７】
画像データ３３８は、スライドショープログラム３１０によって読み出されるデータであり、たとえばフラッシュメモリ２８に記憶される写真画像データなどである。動画データ３４０は、動画再生プログラム３４０によって読み出されるデータである。
【０１０８】
初期設定フラグ３４２は、プロジェクタ機能の初期設定が一度でも行われたことがあるか否かを判断するためのフラグである。たとえば、初期設定フラグ３４２は、１ビットのレジスタで構成される。初期設定フラグ３４２がオン（成立）されると、レジスタにはデータ値「１」が設定される。一方、初期設定フラグ３４２がオフ（不成立）されると、レジスタにはデータ値「０」が設定される。
【０１０９】
充電フラグ３４４は、電源回路４４によってリチウムイオン電池４６の充電が検出されたか否かを判断するためのフラグである。なお、充電フラグ３４４と初期設定フラグ３４２との構成は同じであるため、詳細な説明は省略する。
【０１１０】
ＧＵＩ表示カウンタ３４６は、ディスプレイ２６にＧＵＩが表示されてからの時間を計測するためのカウンタである。
【０１１１】
なお、図示は省略するが、データ記憶領域３０４には、ＧＵＩを表示するための画像および文字列から構成されるＧＵＩのデータや、着呼に応答して出力される音声データなどが記憶されると共に、携帯端末１０の動作に必要なカウンタや、フラグも設けられる。
【０１１２】
プロセッサ２０は、「Linux（登録商標）」および「REX」などのRTOS(Real-time Operating System)の制御下で、図１５に示す初期設定処理および図１６に示すプロジェクタ設定処理などを含む、複数のタスクを並列的に処理する。
【０１１３】
図１５は、初期設定処理のフロー図である。プロセッサ２０は、携帯端末１０がクレードルＣｒに置かれて充電フラグ３４４がオンになれば、ステップＳ１で歪み補正画面を表示する。たとえば、図８（Ａ）に示すような歪み補正画面をディスプレイ２６に表示させる。続いて、ステップＳ３では、十字キー２２ｄが操作されたか否かを判断する。つまり、台形歪みを補正するために十字キー２２ｄが操作されたか否かを判断する。
【０１１４】
ステップＳ３で“ＮＯ”であれば、つまり十字キー２２ｄが操作されなければ、ステップＳ３の処理を繰り返し実行する。一方、ステップＳ３で“ＹＥＳ”であれば、つまり十字キー２２ｄが操作されれば、ステップＳ５で操作の方向に応じて歪み補正値を変更する。たとえば、ステップＳ５では、十字キー２２ｄによって上方向が操作されれば、上辺に対する補正値を変更し、その補正値を補正値バッファ３３２に一旦格納する。なお、ステップＳ５における補正の結果は、投影画像に反映される。つまり、使用者は、十字キー２２ｄによって行った補正の結果を、自身の目で確認することができる。
【０１１５】
続いて、ステップＳ７では、完了操作がされたか否かを判断する。つまり、図８（Ａ）に示すソフトキー６０が操作されたか否かを判断する。ステップＳ７で“ＮＯ”であれば、つまりソフトキー６０が操作されなければ、ステップＳ３に戻り、“ＹＥＳ”であればつまりソフトキー６０が操作されれば、ステップＳ９に進む。
【０１１６】
ステップＳ９では、輝度補正画面を表示する。たとえば、図８（Ｂ）に示す輝度補正画面をディスプレイ２６に表示させる。続いて、ステップＳ１１では、十字キー２２ｄが操作されたか否かを判断する。つまり、投影画像の輝度を補正するための操作がされたか否かを判断する。ステップＳ１１で“ＮＯ”であれば、つまり輝度の補正を行う操作が行われなければ、ステップＳ１１の処理を繰り返し実行する。
【０１１７】
一方、ステップＳ１１で“ＹＥＳ”であれば、つまり輝度を補正する操作が行われれば、ステップＳ１３で操作の方向に応じて輝度補正値を変更する。たとえば、十字キー２２ｄに対して下方向の操作がされれば、輝度を下げる補正を行い、その補正値を補正値バッファ３３２に一旦格納する。なお、図８（Ｂ）に示す輝度補正画面では、左右方向の操作については指示していないので、左右方向の操作は無効にしてもよいし、左方向を下方向に対応させ、右方向を上方向に対応させてもよい。なお、ステップＳ１５では、完了操作か否かを判断する。つまり、図８（Ｂ）に示すソフトキー６２が操作されたか否かを判断する。ステップＳ１５で“ＮＯ”であれば、つまり完了操作が行われなければ、ステップＳ１１に戻る。ステップＳ１５で“ＹＥＳ”であれば、つまり完了操作が行われると、ステップＳ１７に進む。
【０１１８】
ステップＳ１７では、機能設定画面を表示する。たとえば、図８（Ｃ）に示す機能設定画面をディスプレイ２６に表示する。続いて、ステップＳ１９では、キーが選択されたか否かを判断する。つまり、第１機能キー７２から第４機能キー７８までのいずれか１つのキーが選択されたか否かを判断する。ステップＳ１９で“ＮＯ”であれば、つまりいずれのキーも選択されなければ、ステップＳ１９の処理を繰り返し実行する。一方、ステップＳ１９で“ＹＥＳ”であれば、たとえばスライドショー機能に対応する第１機能キー７２が選択されれば、ステップＳ２１で選択されたキーに応じて機能情報を設定する。たとえば、第１機能キー７２が選択されていれば、スライドショー機能の機能情報を補正値バッファ３３２に一旦格納する。
【０１１９】
続いて、ステップＳ２３では、現在の位置情報を取得する。つまり、ＧＰＳ制御回路３４ａを起動し、位置情報を取得する。そして、取得された位置情報は、位置情報バッファ３３４に格納される。続いて、ステップＳ２５では、初期設定の結果を設定情報として記憶する。つまり、補正値バッファ３３２に格納される歪み補正値、輝度補正値および機能情報と、位置情報バッファ３３４に格納される位置情報とを、設定テーブルデータ３３６に記憶させる。続いて、ステップＳ２７では、設定結果を表示する。たとえば、図８（Ｄ）に示すように、設定情報をディスプレイ２６に表示する。
【０１２０】
続いて、ステップＳ２９では、初期設定フラグ３４２がオンであるか否かを判断する。つまり、初期設定が行われたことがあるか否かを判断する。ステップＳ２９で“ＹＥＳ”であれば、つまり初期設定が行われたことがあれば、初期設定処理を終了してメインルーチン（たとえば、プロジェクタ設定処理）に戻る。一方、ステップＳ２９で“ＮＯ”であれば、つまり一度も初期設定が行われていなければ、ステップＳ３１でプロジェクタ機能を実行するか否かを判断する。つまり、図１２に示す確認画面をディスプレイ２６に表示する。
【０１２１】
ステップＳ３１で“ＮＯ”であれば、たとえば、拒絶キー９０が操作されるか、ＧＵＩ表示カウンタ３４６の値が第１所定時間以上になれば、初期設定処理を終了する。一方、ステップＳ３１で“ＹＥＳ”であれば、たとえば承諾キー８８が操作されれば、ステップＳ３３で特定の機能を実行させる。たとえば、設定情報にスライド機能を示す機能情報が含まれていれば、スライドショー機能を実行する。また、設定情報に機能情報が含まれていなければ、実行中機能バッファ３３０に格納される機能情報に基づいて実行する。たとえば、実行中機能バッファ３３０にＴＶ視聴機能を示す機能情報が格納されている状態でステップＳ３３が実行されると、ＴＶ視聴機能が再度実行される。
【０１２２】
続いて、ステップＳ３５でプロジェクタ機能を実行する。つまり、プロジェクタプログラム３２０を実行し、実行中のプログラムに対応する画像をスクリーンに投影する。たとえば、ＴＶ視聴機能が既に実行されている状態であれば、ＴＶ番組をスクリーンに投影する。続いて、ステップＳ３７では、初期設定フラグ３４２をオンにし、初期設定処理を終了する。つまり、ステップＳ３７では、最初の初期設定が終了したので、初期設定フラグ３４２をオンにする。
【０１２３】
なお、「中止」のソフトキー６４（図８（Ａ）参照）が操作された場合には、初期設定処理は終了される。また、充電フラグ３４４のオフが検出されたり、発呼信号を受信したりした場合には、初期設定が一時中断される。初期設定処理が一時中断される場合には、処理状態がＲＡＭ３０に一時記憶され、再開されるまでＲＡＭ３０に保持され続ける。また、図１５では図示はしていないが、「戻る」のソフトキー６８，８０，８２（図８（Ｂ）−（Ｄ）参照）のいずれかが操作されたときには、１つ前の設定画面に戻るようにする。
【０１２４】
そして、ステップＳ３，Ｓ１３，Ｓ２１，Ｓ２３の処理を実行するプロセッサ２０は初期設定手段として機能し、ステップＳ２５の処理を実行するプロセッサ２０は初期設定記憶手段として機能する。また、ステップＳ３３の処理を実行するプロセッサ２０は機能実行手段として機能し、ステップＳ３５の処理を実行するプロセッサ２０は制御手段として機能する。
【０１２５】
図１６は、プロジェクタ設定処理のフロー図である。なお、ステップＳ５７−Ｓ６１の処理は、ステップＳ３１−Ｓ３５（図１５参照）の処理と同じであるため、詳細な説明は省略する。
【０１２６】
プロセッサ２０は、充電フラグ３４４がオンになり、かつ初期設定フラグ３４２がオンであれば、ステップＳ５１で現在の位置情報を取得する。つまり、ＧＰＳ信号に基づく位置情報を取得して、位置情報バッファ３３４に格納する。続いて、ステップＳ５３では、位置情報に相関が有るか、無いかを判断する。つまり、各設定情報に含まれる位置情報と位置情報バッファ３３４に格納される位置情報とに相関が有るか、無いかを判断する。ステップＳ５３で“ＮＯ”であれば、つまり２つの位置情報に相関が無ければ、ステップＳ６３に進む。なお、ステップＳ５１の処理を実行するプロセッサ２０は、識別情報取得手段として機能する。
【０１２７】
一方、ステップＳ５３で“ＹＥＳ”であれば、つまり２つの位置情報に相関が有れば、ステップＳ５５で相関の有る位置情報を含む、設定情報を読み出し、ステップＳ５７に進む。たとえば、図１１を参照して、位置情報バッファ３３４に格納される位置情報と、設定１の設定情報に含まれる位置情報とに相関が有れば、設定１に対応する位置情報がステップＳ５５で読み出される。
【０１２８】
ステップＳ５７では、プロジェクタ機能を実行するか否かを判断する。ステップＳ５７で“ＮＯ”であれば、プロジェクタ設定処理を終了する。一方、ステップＳ５７で“ＹＥＳ”であれば、ステップＳ５９で特定の機能を実行する。続いて、ステップＳ６１では、プロジェクタ機能を実行し、プロジェクタ機能を終了する。なお、ステップＳ６１の処理を実行するプロセッサ２０も制御手段として機能する。
【０１２９】
ここで、２つの位置情報に相関が無ければ、ステップＳ６３で選択画面を表示する。つまり、ディスプレイ２６には、図１３に示すように、複数の設定情報が選択的に表示され、合わせて初期設定を行うための初期設定キー９２も表示される。なお、ステップＳ６３の処理を実行するプロセッサ２０は表示手段として機能する。
【０１３０】
続いて、ステップＳ６５では、初期設定か否かを判断する。つまり、初期設定キー９２が選択されたか否かを判断する。ステップＳ６５で“ＹＥＳ”であれば、つまり初期設定キー９２が選択されれば、ステップＳ６７で初期設定処理を実行する。つまり、図１５に示す初期設定処理を実行する。なお、ステップＳ６７の処理を実行するプロセッサ２０も初期設定手段として機能する。
【０１３１】
一方、ステップＳ６５で“ＮＯ”であれば、つまり初期設定キー９２が選択されなければ、ステップＳ６９で設定情報が選択されたか否かを判断する。たとえば、図１３を参照して、設定情報キー９４またはデフォルトキー９６が選択されたか否かを判断する。ステップＳ６９で“ＹＥＳ”であれば、つまり設定情報が選択されれば、ステップＳ７１で選択された設定情報を読み出し、ステップＳ５７に進む。たとえば、ステップＳ７１で、図１３に示す設定情報キー９４が選択されれば、設定１に対応する設定情報を読み出す。
【０１３２】
また、ステップＳ６９で“ＮＯ”であれば、つまり設定情報が選択されなければ、ステップＳ７３でタイムアウトか否かを判断する。たとえば、ステップＳ６３で、ディスプレイ２６に選択画面が表示されると、ＧＵＩ表示カウンタ３４６によって時間が計測される。そして、ステップＳ７３では、ＧＵＩ表示カウンタ３４６によって第２所定時間が計測されたか否かを判断する。つまり、プロジェクタ設定処理において、ディスプレイ２６に選択画面が表示され、使用者によって操作されるまでは、ステップＳ６５，Ｓ６９，Ｓ７３の処理を繰り返し実行する。
【０１３３】
ステップＳ７３で“ＮＯ”であれば、つまり選択画面が表示されてから所定時間が経過していなければ、ステップＳ６５に戻る。一方、ステップＳ７３で“ＹＥＳ”であれば、つまり選択画面が表示されてから所定時間が経過すればプロジェクタ設定処理を終了する。
【０１３４】
なお、ステップＳ５５の処理を実行するプロセッサ２０は第１読出手段として機能し、ステップＳ７１の処理を実行するプロセッサ２０は第２読出手段として機能する。そして、第１読出手段または第２読出手段として機能するプロセッサ２０は、読出手段と呼ばれることもある。
【０１３５】
以上の説明から分かるように、携帯端末１０は、画像を投影するプロジェクタ３２を有する。使用者が携帯端末１０をクレードルＣｒに置き、投影画像に対する台形歪みや、輝度などの初期設定を行うと、その初期設定の結果はＲＡＭ３０に設定情報として記憶される。また、プロセッサ２０は、電源回路４４によってリチウムイオン電池４６の充電が検出されると、現在の位置情報を取得し、その位置情報と相関が有る位置情報を含む設定情報をＲＡＭ３０から読み出す。そして、プロセッサ２０は、読み出した設定情報に基づいて投影画像の補正を行い、プロジェクタ３２に画像を投影させる。
【０１３６】
このように、予め設定された補正値が記憶され、その補正値に基づいて画像が投影されるため、使用者は補正の手間を掛けずにプロジェクタ機能を利用することができる。
【０１３７】
なお、プロジェクタ３２は、LEDを光源とするプロジェクタであってもよく、この場合には設定情報にフォーカスの補正値も含まれる。また、プロジェクタ機能の初期設定では、台形歪み、輝度およびフォーカスの補正だけに限らず、コントラストや、色などの補正が行われてもよい。さらに、投影画像の台形歪みを補正する手段としては、プログラム的に、投影する画像に対してアフィン変換などを施してもよいし、ハードウェア的に、台形歪みを補正するための専用IC(ASIC)によって画像データを変換したり、または光学レンズによって投影する画像を変形させたりしてもよい。
【０１３８】
また、プロジェクタ機能が実行されると、携帯端末１０を開状態から閉状態にすることを促す画像および文字列が表示され、かつ音声およびLEDなどの光で使用者に通知される。そして、プロジェクタ機能の実行中に開状態が検出されると、プロジェクタ機能は終了する。また、スライド型の携帯電話機に本実施例が適用される場合には、スライドされた状態になれば、プロジェクタ機能が停止されてもよい。
【０１３９】
また、プロジェクタ機能の実行中には、第１サイドキー２２ａ、第２サイドキー２２ｂおよび第３サイドキー２２ｃによって、プロジェクタ機能の一時停止や、再実行および投影画像の制御などが操作されてもよい。さらに、近距離無線通信（Bluetooth（登録商標））などによって無線接続されるリモコンや、赤外線を利用するリモコンなどによって、プロジェクタ機能の一時停止や、再実行および投影画像の制御などが操作されてもよい。
【０１４０】
また、図８（Ａ）−（Ｄ）、図１２および図１３に示されたＧＵＩに含まれる文字列は、音声によって使用者に通知されてもよい。さらに、初期設定中に表示される画像は、カメラ機能によって撮影された写真画像や、動画像などであってもよい。
【０１４１】
また、初期設定は、カメラ機能によってリアルタイムに撮影された投影画像に基づいて、自動的に行われてもよい。さらに、携帯端末１０は、位置情報の精度を向上させるために、近隣の基地局から位置情報も取得し、ＧＰＳ信号に基づく位置情報と併用してもよい。
【０１４２】
また、二次電池としてリチウムイオン電池４６を採用したが、鉛蓄電池、ニッケル水素電池、ナトリウムイオン電池、金属空気電池および亜鉛臭素電池などであってもよい。
【０１４３】
また、携帯端末１０の形状は１軸の折り畳み型であったが、２軸の折り畳み型や、スライド型、ストレート型およびリボルバー型などであってもよい。
【０１４４】
そして、携帯端末１０の通信方式には、W-CDMA方式に限らず、CDMA方式、GSM方式、TDMA方式およびPHS方式などを採用してもよい。また、ディスプレイ２６にはLCDモニタが利用されるが、有機ELパネルなどの他の表示装置が利用されてもよい。さらに、携帯端末１０は、携帯電話機のみに限らず、携帯型の音楽プレイヤ、PDA(Personal Digital Assistant)およびノート型PC（ネットブックなども含む）などの電子機器などに適用されてもよい。
【符号の説明】
【０１４５】
１０    …  携帯端末
２０    …  プロセッサ
２２    …  キー入力装置
２２ｄ    …  十字キー
２６    …  ディスプレイ
３０    …  ＲＡＭ
３２    …  プロジェクタ
４４    …  電源回路
４６    …  リチウムイオン電池
【図１】
2011049865.tif 000003
【図２】
2011049865.tif 000004
【図３】
2011049865.tif 000005
【図４】
2011049865.tif 000006
【図５】
2011049865.tif 000007
【図６】
2011049865.tif 000008
【図７】
2011049865.tif 000009
【図８】
2011049865.tif 000010
【図９】
2011049865.tif 000011
【図１０】
2011049865.tif 000012
【図１１】
2011049865.tif 000013
【図１２】
2011049865.tif 000014
【図１３】
2011049865.tif 000015
【図１４】
2011049865.tif 000016
【図１５】
2011049865.tif 000017
【図１６】
2011049865.tif 000018